(57)【要約】【課題】  階段装置において段板を構成する段板装置において、蹴上げ寸法の変更に対して容易に対応できるようにした段板装置を提供することを目的とする。【解決手段】  段板装置２に、基端部１１Ａ付近において階段桁３、４に回動可能に取り付けられる段板本体１１と、段板本体１１と階段桁３、４の間で段板本体１１を支持する支持部１２とを備える。支持部１２は、上側部材２１と、上側部材２１の中空部２１Ａに挿入可能な下側部材２２と、上側部材２１と下側部材２２との間に設けられて段板本体１１側からの荷重を支持する支持棒２３とを備える。支持部１２の高さは、上側部材２１への下側部材２２の挿入量を調節することで変更し得る。支持棒２３を、下側部材２２の支持棒固定板２２に対して、ネジ部２３に螺合するナット２５によって位置決め固定することにより、支持部１２の高さが固定される。【選択図】      図２
2007092311.tif 000002
【特許請求の範囲】
【請求項１】
階段の各段板を構成するように階段桁に設置され得る段板装置において、
前記階段桁に対して取り付けられる段板本体と、
前記段板本体と前記階段桁との間に設けられる支持部と
を備え、
前記階段桁に対する前記段板本体の角度を可変とした段板装置。
【請求項２】
前記段板本体は、基端付近において、前記階段桁に対して回動可能に取り付けられる請求項１に記載の段板装置。
【請求項３】
前記段板本体の両側に、一対の前記支持部を備えた請求項３に記載の段板装置。
【請求項４】
前記段板本体は、アルミニウムで形成されている請求項２又は請求項３に記載の段板装置。
【請求項５】
前記支持部は、前記階段桁に対する前記段板本体の角度に応じて高さが可変である請求項１から請求項４の何れか一つに記載の段板装置。
【請求項６】
前記支持部は、複数の部材から構成され、前記複数の部材同士の相対的配置を変更することにより、前記支持部全体の高さが可変であるようにした請求項５に記載の段板装置。
【請求項７】
前記支持部は、前記段板本体に取り付けられる上側部材と、前記階段桁に取り付けられる下側部材とを備え、前記上側部材と前記下側部材の相対的配置を変更することにより、前記支持部全体の高さが可変であるようにした請求項６に記載の段板装置。
【請求項８】
前記上側部材と前記下側部材の一方が他方の内部に収容されることにより、前記支持部全体の高さが変更されるようにした請求項７に記載の段板装置。
【請求項９】
前記支持部は、前記上側部材と前記下側部材の間に設けられた支持棒を備え、前記支持棒により前記段板本体側からの荷重を支持するようにした請求項７又は請求項８に記載の段板装置。
【請求項１０】
前記支持棒は、前記上側部材と前記下側部材の一方に回動可能に取り付けられるとともに、前記上側部材と前記下側部材の他方に固定部材を介して固定され得るものであり、前記上側部材と前記下側部材の相対的配置の変更に応じて前記固定部材による固定位置が変更され得るようにした請求項９に記載の段板装置。
【請求項１１】
前記支持棒は、ネジ溝が形成されたネジ部を備え、前記ネジ部に前記固定部材であるナットをねじ込むことにより前記上側部材と前記下側部材の他方に固定され得る請求項１０に記載の段板装置。
【請求項１２】
前記支持棒は、端部に転動部材を備え、前記転動部材が、前記上側部材と前記下側部材の一方に形成された収容凹部に収容されるようにした請求項１０又は請求項１１に記載の段板装置。
【請求項１３】
前記支持部は、アルミニウム又はステンレスで形成されている請求項１から請求項１２の何れか一つに記載の段板装置。
【発明の詳細な説明】
【技術分野】
【０００１】
本発明は、階段の段板を構成する段板装置に関し、特に、階段桁の様々な傾斜角度に容易に対応できるようにした段板装置に関する。
【背景技術】
【０００２】
建物等に備えられる階段としては、階段桁を備え、この階段桁に複数の段板（踏板）を設置して構成されるものが知られている。このような階段においては、各段板と階段桁の間には支持部材（段受金物）が設けられ、各段板が支持部材によって略水平に支持されるようになっている。
【発明の開示】
【発明が解決しようとする課題】
【０００３】
ところで、階段は、建物の形状、大きさ、用途、使用状況等に応じて、様々な形態のものが必要とされる。例えば、階段桁の傾斜角度や段板の寸法は、様々に変更される。このように、階段桁の傾斜角度や段板の寸法が変更されると、それに応じて階段各段の蹴上げ寸法（階段１段の高さ）が変わってくるので、支持部材による段板の支持高さを変更する必要がある。
【０００４】
しかしながら、従来の階段においては、階段を構成する個々の部品は、個々の具体的な階段用のものとして設計及び製造されていたので、蹴上げ寸法が異なる階段に対しては、その蹴上げ寸法に応じた支持高さを有する支持部材を新たに用意する必要があった。これは、製造コストの増大や、製造期間の遅れ等の原因となっていた。また、製造現場において、階段各段の蹴上げ寸法を微調整するのも難しかった。
【０００５】
本発明は、このような問題点に着目してなされたもので、階段装置において段板を構成する段板装置において、蹴上げ寸法の変更に対して容易に対応できるようにした段板装置を提供することを目的とする。
【課題を解決するための手段】
【０００６】
本発明は、階段の各段板を構成するように階段桁に設置され得る段板装置において、前記階段桁に対して取り付けられる段板本体と、前記段板本体と前記階段桁との間に設けられる支持部とを備え、前記階段桁に対する前記段板本体の角度を可変とした段板装置。
【０００７】
前記段板本体は、基端付近において、前記階段桁に対して回動可能に取り付けられるようにしてもよい。
前記段板本体の両側に、一対の前記支持部を備えてもよい。
【０００８】
前記段板本体は、アルミニウムで形成されていてもよい。
前記支持部は、前記階段桁に対する前記段板本体の角度に応じて高さが可変であってもよい。
【０００９】
前記支持部は、複数の部材から構成され、前記複数の部材同士の相対的配置を変更することにより、前記支持部全体の高さが可変であるようにしてもよい。
前記支持部は、前記段板本体に取り付けられる上側部材と、前記階段桁に取り付けられる下側部材とを備え、前記上側部材と前記下側部材の相対的配置を変更することにより、前記支持部全体の高さが可変であるようにしてもよい。
【００１０】
前記上側部材と前記下側部材の一方が他方の内部に収容されることにより、前記支持部全体の高さが変更されるようにしてもよい。
前記支持部は、前記上側部材と前記下側部材の間に設けられた支持棒を備え、前記支持棒により前記段板本体側からの荷重を支持するようにしてもよい。
【００１１】
前記支持棒は、前記上側部材と前記下側部材の一方に回動可能に取り付けられるとともに、前記上側部材と前記下側部材の他方に固定部材を介して固定され得るものであり、前記上側部材と前記下側部材の相対的配置の変更に応じて前記固定部材による固定位置が変更され得るようにしてもよい。
【００１２】
前記支持棒は、ネジ溝が形成されたネジ部を備え、前記ネジ部に前記固定部材であるナットをねじ込むことにより前記上側部材と前記下側部材の他方に固定され得るようにしてもよい。
【００１３】
前記支持棒は、端部に転動部材を備え、前記転動部材が、前記上側部材と前記下側部材の一方に形成された収容凹部に収容されるようにしてもよい。
前記支持部は、アルミニウム又はステンレスで形成されていてもよい。
【発明の効果】
【００１４】
本発明によれば、段板装置（例えば段板装置２）において、階段桁（例えば階段桁３、４）に対して取り付けられる段板本体（例えば段板本体１１）と、段板本体と階段桁との間に設けられる支持部（例えば支持部１２）とを備え、例えば段板本体を階段桁に対して回動可能に取り付けることにより、階段桁に対する段板本体の角度を可変としたので、階段桁の様々な傾斜角度に対して、同一の段板装置で容易に対応できる。また、支持部の高さを可変とすれば、階段桁の傾斜角度の変更により蹴上げ寸法が変わったとしても、その蹴上げ寸法の高さとすることで、段板本体を適切に支持することができる。したがって、同一の段板装置を様々な階段に用いることができ、段板装置の大量生産が可能となるので、コスト削減及び工期短縮を図れる。また、段板装置の設置は、段板本体と支持部を階段桁に取り付け、支持部の高さを調節するだけでよいので、設置作業は迅速かつ効率的に行える。さらに、階段装置の組み立て現場において、支持部の高さを微調整することができるので、階段桁の傾斜角度の誤差等にも容易に対応できる。
【００１５】
支持部を段板本体の両側に一対備えるようにすれば、段板本体を安定的に支持することができる。
支持部を、複数の部材から構成し、これら複数の部材同士の相対的配置を変更することにより支持部全体の高さが可変であるようにすれば、高さが可変な支持部を効率的に構成できる。例えば、支持部を段板本体に取り付けられる上側部材（例えば上側部材２１）と階段桁に取り付けられる下側部材（例えば下側部材２２）とから構成し、上側部材と下側部材の一方が他方の内部に収容されることにより支持部全体の高さが変更されるようにすれば、少ない部品点数からなる簡素な構成で、支持部の高さを可変とできる。
【００１６】
さらに、上側部材と下側部材の間に支持棒（例えば支持棒２３）を備え、この支持棒が、上側部材の下側部材の一方に回動可能に取り付けられるとともに、上側部材と下側部材の他方に固定部材を介して固定され得るようにすれば、簡素な構成で、様々な蹴上げ寸法に対する確実な支持を行える。
【００１７】
また、段板本体をアルミニウムで形成し、支持部をアルミニウム又はステンレスで形成すれば、段板装置全体を、十分な強度を保ちながら軽量化することができ、運搬及び設置を容易に行える。
【発明を実施するための最良の形態】
【００１８】
以下、添付図面を参照して本発明の実施形態を説明する。
図１には、本発明の一実施形態における階段装置１の全体構成を示す。図示されるように、階段装置１は、多数の段板装置２が設置された階段桁３及び４と、これらの階段桁３、４の間に配置されて踊り場を構成する踊り場構造体５とを備えている。階段桁３は、その下端部３Ａが地面６に、上端部３Ｂが踊り場構造体５に、それぞれ固定され、所定の傾斜角度Ｒ１で傾斜した状態に設置されている。また、階段桁４は、その下端部４Ａが踊り場構造体５に、上端部４Ｂが建物上階部構造体７に、それぞれ固定され、所定の角度Ｒ２で傾斜した状態に設置されている。また、踊り場構造体５は、支柱８により、所定の高さに略水平に支持されている。なお、階段桁３と踊り場構造体５の連結、階段桁４と踊り場構造体５及び建物上階部構造体７との連結は、連結補強部材であるガセットプレート９により補強されている。
【００１９】
段板装置２は、階段の段板（踏板）部分を構成するもので、階段桁３及び４の上面に所定の間隔で配列されている。各段板装置は、主として、段板本体１１と、この段板本体１１と階段桁３又は４の間に介装される支持部１２とから構成される。
【００２０】
図２、図３には、段板装置２を詳細に示す。図示されるように、段板本体１１は、階段装置１における段板（踏板）となる板状の部材であり、例えばアルミニウムで形成されるものである（なお、図２、図３では、段板本体１１の先端部分の図示を省略している）。段板本体１１の基端部１１Ａ付近には、取り付け部材１３が備えられる。取り付け部材１３は、回動支点部１３Ａにおいて、段板本体１１の基端部１１Ａ付近に、回動可能に接続されている。また、取り付け部材１３の本体部１３Ｂは、階段桁３又は４の上面に、図示されない固定手段（例えばボルトとナット）を介して固定されている。これにより、段板本体１１は、基端部１１Ａ付近において、階段桁３又は４に対して回動可能に取り付けられる。
【００２１】
支持部１２は、段板本体１１と階段桁３又は４の間に配置され、段板本体１１を階段桁３又は４に対して所定の角度で（例えば、段板本体１１が略水平となるように）支持する部分である。なお、本実施形態では、一対の支持部１２が、段板本体１１の左右両側（図の紙面に対して手前側と奥側）に備えられている。このように、一対の支持部１２を用いることにより、段板本体１１を安定的に支持することができる。
【００２２】
支持部１２は、主として、上側部材２１と、下側部材２２と、支持棒２３とから構成される。なお、上側部材２１、下側部材２２、支持棒２３は、いずれも、例えばアルミニウム又はステンレスから形成されるものである。
【００２３】
上側部材２１は、下側部材２２が収容され得る中空部２１Ａを備えた縦長の部材であり、その上端部２１Ｂにおいて段板本体１１の下面に対して締結ボルト２４を介して固定されている。また、上側部材２１の下端部２１Ｃは、下側部材２２が挿入されるための開口となっている。さらに、上側部材２１の上端部２１Ｂ付近には、支持棒２３との接続のための収容凹部２１Ｄが形成されている。
【００２４】
下側部材２２は、上側部材２１の中空部２１Ａに収まる寸法を有する縦長の部材であり、下端部２２Ａにおいて、階段桁３又は４に対して、図示されない固定手段（例えばボルトとナット）により固定されている。一方、下側部材２２の上端部２２Ｂは、上側部材２１の下端部２１Ｃの開口に挿入されている。この下側部材２２の上側部材２１内への挿入量を変更することにより、上側部材２１の上端部２１Ｂから下側部材２２の下端部２２Ａに至る支持部１２全体の高さ（上側部材２１の上端部２１Ｂから下側部材２２の下端部２２Ａに至る高さ）が変更可能となっている。図２には、下側部材２２の上側部材２１内への挿入量を最小として、支持部１２全体の高さを最大とした状態を、また図３には、下側部材２２の上側部材２１内への挿入量を最大として、支持部１２全体の高さを最小とした状態を、それぞれ示している。また、下側部材２２は、支持棒２３との連結のための支持棒固定板２２Ｃを備えている。
【００２５】
支持棒２３は、段板本体１１側からの荷重を支持する突っ張り棒となるものであり、上端付近に、上側部材２１との連結のための転動部２３Ａが固定されている。また、支持棒２３の下端付近は、下側部材２２と連結のためのネジ溝が形成されたネジ部２３Ｂとなっている。
【００２６】
支持棒２３上端の転動部２３Ａは、上側部材２１の収容凹部２１Ｄ内に収容されている。一方、支持棒２３の本体部分は、収容凹部２１Ａの下部に形成された開口２１Ｅを貫通して、下方に延び出している。ここで、転動部２３Ａは、開口２１Ｅから抜け出さない寸法となっているので、支持棒２３と上側部材２１は、転動部２３Ａを介して互いに連結された状態となる。また、転動部２３Ａは、曲線的な形状を有し、収容凹部２１Ｄ内で転動し得る。これにより、上側部材２１に対する支持棒２３の角度の変更に対応できるようになっている。なお、転動部２３Ａは、収容凹部２１Ｄの上面に接触した状態となり、段板本体１１側からの荷重を支持するものである。
【００２７】
支持棒２３下端付近のネジ部２３Ｂは、下側部材２２の支持棒固定板２２Ｃに形成されたボルト穴２２Ｄを貫通して配置され、ナット２５の締結により、支持棒固定板２２Ｃに対して固定される。この場合、支持棒２３の支持棒固定板２２Ｃへの固定位置は、支持部１２全体が所望の長さになるように選択される。言い換えると、支持棒２３の支持棒固定板２２Ｃへの固定位置を変更することにより、支持部１２全体の高さを自由に変更できる。なお、本実施形態においては、図２に示す状態と図３に示す状態とでの支持部１２の高さの変更に応じて、異なる長さの支持棒２３を用いている。
【００２８】
以上のように、本実施形態の段板装置２は、段板本体１１が階段桁３又は４に回動可能に取り付けられており、また支持部１２の全体の高さ（長さ）を変更することができるので、階段桁３又は４の様々な傾斜角度に対応することができる。すなわち、図２に示すように、階段桁３又は４の傾斜角度Ｒ３が大きな場合には、階段一段分の高さ（蹴上げ）が大きくなるので、支持部１２の高さを高くすることにより、段板本体１１を略水平な状態に設置する。また、図３に示すように、階段桁３又は４の傾斜角度Ｒ４が小さな場合には、階段一段分の高さ（蹴上げ）が小さくなるので、支持部１２の高さを低くすることにより、段板本体１１を略水平な状態に設置する。
【００２９】
このように、本実施形態の段板装置２によれば、階段桁３又は４の様々な傾斜角度に対して、同一の段板装置２で容易に対応することができる。したがって、階段桁３又は４の傾斜角度毎に、異なる支持部１２（段受金物）を用意する必要はなく、その分、段板装置２の製造の単純化、効率化を図りうる。
【００３０】
また、支持部１２の高さを細かく変更することにより、蹴上げ量を細かく設定できるので、階段装置１の製造現場における寸法微調整が可能であり、製造作業の容易化及び効率化を図り得る。
【００３１】
また、段板装置２は、支持部１２の高さを調整しながら階段桁３及び４に組み付けるだけでよいので、組み付け作業は容易且つ迅速に行うことができ、階段装置１の製造日数及び製造コストを削減できる。
【００３２】
また、支持部１２は、互いに収容し合う２つの部材（上側部材２１と下側部材２２）と支持棒２３で構成することができるので、構成は簡素であり、また部品点数も少なくでき、製造コストを削減できる。
【００３３】
図４には、本発明の他の実施形態における段板装置の支持部を示す。なお、本実施形態の段板装置は、上記図２及び図３の段板装置２と比較して、支持部１２の構造の一部が異なるだけで、他の部分は共通するものであるので、上記図２及び図３の段板装置２と共通する部材は同一の図番を用いて示し、説明を省略する。
【００３４】
図示されるように、本実施形態の支持部１２の上側部材２１は、図２及び図３の実施形態における収容凹部２１Ｄの代わりに、上端部２１Ｂに形成された連結ボルト取り付け部２１Ｆを備えている。連結ボルト取り付け部２１Ｆは、水平方向に延びるボルト穴を備えている。このボルト穴内に軸支されたボルト２１Ｇに、支持棒２３の上端部が固定される。これにより、支持棒２３は、ボルト２１Ｇを中心として回動し、支持部１２の長さの変動に応じて傾斜角度を変えることができるようになっている。
【００３５】
なお、上記各実施形態において、段板本体は、アルミニウム製としたが、本発明はこのような形態に限られるものではない。例えば、段板本体を、他の金属（例えばステンレス）、木、石（例えば大理石）等を用いて構成してもよい。また、アルミニウム製の基体に布地、ゴム、タイル等を組み合わせて構成することもできる。
【００３６】
また、一つの段板装置に備えられる支持部の数は特に限定されず、一つの段板装置に１個の支持部のみを備えるようにしても良いし、３個以上の支持部を備えるようにしても良い。
【００３７】
また、支持部は、上側部材及び下側部材からなるものに限られない。例えば、上側部材と下側部材の間に中間部材を備える等することにより、支持部を３つ以上の部材から構成することもできる。
【図面の簡単な説明】
【００３８】
【図１】本発明の実施形態における階段装置を示す側面図である。
【図２】同じく段板装置を示す断面図である。
【図３】同じく段板装置を示す断面図である。
【図４】本発明の他の実施形態における支持部を示す断面図である。
【符号の説明】
【００３９】
１  階段装置
２  段板装置
３  階段桁
４  階段桁
５  踊り場構造体
６  地面
７  建物上階部構造体
８  支柱
９  ガセットプレート
１１  段板本体
１２  支持部
１３  取り付け部材
２１  上側部材
２１Ａ  中空部
２１Ｄ  収容凹部
２２  下側部材
２２Ｃ  支持棒連結板
２３  支持棒
２３Ａ  転動部
２３Ｂ  ネジ部
２５  ナット
【図１】
2007092311.tif 000003
【図２】
2007092311.tif 000004
【図３】
2007092311.tif 000005
【図４】
2007092311.tif 000006